(57)【要約】【課題】一度開封して食材等を投入した後、安全に電子レンジで加熱できる包装袋を提供する。【解決手段】樹脂を含むフィルムからなる包装袋１は、フィルムを含んで形成された前面部２と、フィルムを含んで形成され、前面部２と互いの端部が接合された背面部３と、端部の１つである第１端部４に、前面部２と背面部３とを剥離可能に接合して設けられた蒸気抜き部７と、蒸気抜き部７より第１端部４と反対側の第２端部５側に、前面部２又は背面部３から突出して設けられ、開閉自在に密封可能なジッパー部９を有する食材投入部６と、食材投入部６より第２端部５側に、背面部３が折り返されて設けられた折返し部１０とを備え、食材投入部６が密封された状態で加熱され、包装袋１の内部に水蒸気が発生して内圧が所定値以上となると、蒸気抜き部７が剥離して蒸気抜き部７に蒸気孔が形成される。【選択図】図１
2009166853.tif 000002
【特許請求の範囲】
【請求項１】
樹脂を含むフィルムからなる包装袋であって、
前記フィルムを含んで形成された前面部と、
前記フィルムを含んで形成され、前記前面部と互いの端部が接合された背面部と、
前記端部の１つである第１端部に、前記前面部と前記背面部とを剥離可能に接合して設けられた蒸気抜き部と、
前記蒸気抜き部より前記第１端部と反対側の第２端部側に、前記前面部又は前記背面部から突出して設けられ、開閉自在に密封可能なジッパー部を有する食材投入部と、
前記食材投入部より前記第２端部側に、前記背面部が折り返されて設けられた折返し部と、
を備え、
前記食材投入部が密封された状態で加熱され、前記包装袋の内部に水蒸気が発生して内圧が所定値以上となると、前記蒸気抜き部が剥離して前記蒸気抜き部に蒸気孔が形成されることを特徴とする包装袋。
【請求項２】
前記折返し部の個数は、２個以下であることを特徴とする請求項１に記載の包装袋。
【発明の詳細な説明】
【技術分野】
【０００１】
本発明は、内部に食材を投入して、あらかじめ充填された調味液等とともに電子レンジで加熱調理するための包装袋に関する。
【背景技術】
【０００２】
従来、パウチ等の包装袋に入れた食品をレトルト釜で加熱、加圧殺菌した、いわゆるレトルト食品が広く流通し、使用されている。レトルト食品は包装袋によって密封されているため、そのまま電子レンジで加熱しようとすると、食品から発生する水蒸気によって包装袋が膨張し、破裂するおそれがある。
【０００３】
この問題を解決するために、包装袋の一方の端部寄りの内部に、上述の水蒸気を逃がすための耐熱性不織布を二つ折りに折り込んで取付けた包装袋が提案されている（例えば、特許文献１参照。）。この包装袋を使用したレトルト食品を電子レンジで加熱するときには、不織布が取り付けられている端部側を切り取って、不織布側の端部を開放し、その後食品を包装袋ごと電子レンジに入れて加熱する。
【特許文献１】特開平８−８０９７８号公報
【発明の開示】
【発明が解決しようとする課題】
【０００４】
しかしながら、特許文献１の包装袋は、開放した端部が不織布等で覆われているので、タレや調味液等が充填されたレトルト食品の包装袋を一度開封して食材を加えた後、電子レンジでタレ等と食材とを一緒に加熱するということはできない。
【０００５】
開口部に開閉自在の公知のジッパー等を設ければ、食材を投入して再度包装袋を密封することは可能になるが、ジッパーを閉じた開口部は通気性に乏しく、電子レンジで加熱する際には、上述の破裂の危険性が問題となる。
【０００６】
本発明は、上記事情に鑑みてなされたものであり、一度開封して食材等を投入した後、安全に電子レンジで加熱することができる包装袋を提供することを目的とする。
【課題を解決するための手段】
【０００７】
本発明の包装袋は、樹脂を含むフィルムからなる包装袋であって、前記フィルムを含んで形成された前面部と、前記フィルムを含んで形成され、前記前面部と互いの端部が接合された背面部と、前記端部の１つである第１端部に、前記前面部と前記背面部とを剥離可能に接合して設けられた蒸気抜き部と、前記蒸気抜き部より前記第1端部と反対側の第２端部側に、前記前面部又は前記背面部から突出して設けられ、開閉自在に密封可能なジッパー部を有する食材投入部と、前記食材投入部より前記第２端部側に、前記背面部が折り返されて設けられた折返し部とを備え、前記食材投入部が密封された状態で加熱され、前記包装袋の内部に水蒸気が発生して内圧が所定値以上となると、前記蒸気抜き部が剥離して前記蒸気抜き部に蒸気孔が形成されることを特徴とする。
【０００８】
本発明の包装袋は、開封して食材投入部から食材を投入した後、電子レンジで加熱する際には、ジッパー部で食材投入部が密封されつつ、蒸気抜き部に蒸気孔が形成されて加熱によって発生した水蒸気が発散される。
【０００９】
前記折返し部の個数は、２個以下であってもよい。この場合、包装袋への充填を良好に行うことができる。
【発明の効果】
【００１０】
本発明の包装袋によれば、一度開封して食材等を投入した後、安全に電子レンジで加熱調理を行うことができる。
【発明を実施するための最良の形態】
【００１１】
以下、本発明の一実施形態の包装袋１について、図１から図６を参照して説明する。
図１は包装袋１の斜視図であり、図２は図１のＡ−Ａ線における断面図である。包装袋１は、前面部２と、前面部２に接合された背面部３とから構成されている。
【００１２】
図１に示すように、前面部２と背面部３とは、四方の端部が一体に接合されており、４つの端部の１つである第１端部４に、後述する蒸気抜き部７が設けられている。
なお、以下の説明における前後左右等の表現は、図１のように、前面部２を正面とし、かつ第１端部４を上端、第１端部４と反対側の第２端部５を下端とした状態を基準とする。
【００１３】
前面部２は、熱融着性を有するシート状の可撓性フィルム（以下、「本体フィルム」と称する。）からなる前面部材２Ａによって形成されている。
本体フィルムは、ポリエステル、ナイロン、ポリエチレンテレフタレート又はこれらを積層したものに酸化アルミニウムや酸化ケイ素等の無機化合物が蒸着された基材層に、ポリプロピレン（ＰＰ）等からなる熱融着性層が積層されて形成されている。
【００１４】
前面部材２Ａは、第１端部４と第２端部５との中間の任意の位置で各端部４、５と略平行に折り返されており、前面部２の一部が突出するように食材投入部６が形成されている。
食材投入部６は、ノッチ６Ａをきっかけとして端部６Ｂを引き裂いて除去することにより開封することができる。ノッチ６Ａに代えてスリット等が設けられてもよい。また、端部６Ｂの下側には、互いに係合するジッパー部材８が左右方向にわたって取り付けられたジッパー部９が設けられており、開封後の食材投入部６を開閉自在に密封することができる。
【００１５】
図２に示すように、ジッパー部９のジッパー部材８は、共通のベース部８Ａに互いに係合する係合突起８Ｂ及び８Ｃが取り付けられて形成されている。そして、各係合突起８Ｂ、８Ｃが互いに対向するようにベース部８Ａが折り曲げられて、端部が前面部材２Ａの内面に熱融着等の手段で固定されている。ベース部８Ａの折り曲げられた中間部８Ｄは薄く形成されており、開封時に容易に切断されるようになっている。
【００１６】
背面部３は、前面部２と同様に、本体フィルムからなる背面部材３Ａから形成されている。背面部材３Ａも第１端部４と略平行に折り返されており、第２端部５側に向かって突出する突出部１０Ａを有する折返し部１０が形成されている。折返し部１０は、包装袋１の容積を増加させ、後述するように、加熱時に第１端部４側を立ち上がらせる機能を有する。折返し部１０は、食材投入部６よりも第２端部５寄りの位置に設けた方が、加熱時に第１端部４側をより良好に立ち上がらせることができる。
なお、折返し部１０は、１箇所設けられても複数設けられてもよいが、多数設けると包装袋１内に調味液等の充填を行う際の含気量が多くなるため、２箇所以下とされるのが好ましい。
【００１７】
蒸気抜き部７は、第１端部４付近において、前面部材２Ａ及び背面部材３Ａの一部が、封止部材１１を挟んで一体に接合されて形成されている。封止部材１１は、ＰＰとポリエチレンとのブレンド樹脂等から形成された幅広の帯状の部材である。封止部材１１は、本体フィルムに対してイージーピール性を有する。蒸気抜き部７の前面部２側には、略円形のスリット７Ａが、前面部材２Ａを貫通するように複数設けられている。
【００１８】
このため、前面部２と背面部３とを離間させるような力が蒸気抜き部７に作用すると、封止部材１１によって一体に接合された前面部材２Ａと背面部材３Ａとが剥離し、蒸気抜き部７の前面部２側に蒸気抜きを行うための蒸気孔が形成される。蒸気孔が形成されるために必要とされる内圧値は、適宜所定の値に設定されてよい。
【００１９】
スリット７Ａの形状は、円形のほかに略四角形等任意の形状で構わない。また、半円形や、スリットに囲まれた前面部材２Ａの一部が、前面部材２Ａの他の部分と第１端部４側で接続されているようにスリットが形成されてもよい。さらに、蒸気抜き部７の背面部３側にスリット７Ａが設けられてもよい。
【００２０】
また、蒸気抜き部７の構成は上記に限定されない。例えば、特開昭６２−２３５０８０号公報に記載されているように、容器の内側に突出する突出部を有するヒートシール帯を用いて第１端部４を封止し、第１端部４が部分的に開口するようにして蒸気抜き部を形成してもよい。その他、本体フィルムを用いて形成可能な公知の各種蒸気抜き構造を採用することができる。
【００２１】
上記の各部が形成された前面部２と背面部３とを、互いの熱融着性層が対向するように配置し、第２端部５を除く四方の端部を熱融着によって一体に接合する。同時に、封止部材１１に対して熱を加え、蒸気抜き部７を形成する。そして、第２端部５からカレーソース等の調味液Ａを充填した後に第２端部５を接合して封止すると、図３に示すように、調味液Ａが密封された包装袋１が完成する。
【００２２】
完成した包装袋１に対して、ＪＩＳ−Ｚ−０２３８「密封軟包装袋の試験方法」によって耐圧縮強度、落下強度、外観の各項目について評価を行った。結果を表１に示す。
【００２３】
【表１】
2009166853.tif 000003
【００２４】
表１に示すように、包装袋１においては、良好な性能が確保されていることが確認された。
【００２５】
続いて、包装袋１の使用時の動作について説明する。まずユーザがノッチ６Ａをきっかけにして食材投入部６の端部６Ｂを除去する。そして、ジッパー部材８の係合突起８Ｂと８Ｃとの係合を解除して広げると、ベース部８Ａが中間部８Ｄで断裂し、図４に示すように、食材投入部６が開口する。
【００２６】
ユーザは、食材投入部６からジャガイモやニンジン等の食材Ｆを包装袋１の内部に投入し、図５に示すようにジッパー部９を閉じて食材投入部６を密封する。このとき、食材Ｆの投入によって折返し部１０が展開し、包装袋１の容積が増加するとともに、食材投入部６及び蒸気抜き部７を含む折返し部１０より第１端部４側の領域は、図６に矢印Ａ１で示すように、上方に向かって立ち上がる。
このとき、包装袋１の最も低い底部から、立ち上がった第１端部４側の最上部までの高さが１４センチメートル以下となるように折返し部１０の形成位置や折返し長さ等のパラメータを設定すると、包装袋１が一般的な電子レンジ庫内の天井と干渉することがなく、好ましい。
【００２７】
続いて、ユーザは包装袋１を電子レンジ内に設置して加熱する。食材Ｆは調味液Ａとともに加熱調理される。このとき、加熱によって発生した高温の水蒸気が滞留する蒸らし空間Ｓが前面部２側に形成される。食材投入部６は、ジッパー部９によって密封されているため、包装袋１の容積を超える量の水蒸気は、蒸気抜き部７に向かって移動する。その結果、蒸気抜き部７の内圧が所定値以上に高まると、前面部材２Ａと背面部材３Ａとを離間させるような力が蒸気抜き部７に作用する。すると、スリット７Ａに囲まれた前面部材２Ａの一部が封止部材１１とともに、前面部材２Ａから離間し、前面部材２Ａに蒸気孔１２が形成される。包装袋１の容積を超える量の水蒸気は、蒸気孔１２から適宜外部に発散し、包装袋１の破裂が防止される。
【００２８】
加熱調理が終了した後、ユーザは再びジッパー部材８の係合を解除して食材投入部６を開き、食材Ｆ及び調味液Ａを容器に盛り付ける。なお、これに代えて、蒸気抜き部７の付近にノッチ等を設け、第１端部４を除去して開口し、盛り付けを行うことができるように包装袋１が構成されてもよい。
【００２９】
本実施形態の包装袋１によれば、密封可能な食材投入部６と、水蒸気の発生によって蒸気孔１２が形成される蒸気抜き部７とが設けられているので、レトルト加工時には確実に密封状態が保持される。そして、開封して食材を加えて密封した後も、安全に電子レンジで加熱することができる。
【００３０】
また、ジッパー部９は、ジッパー部材８のベース部８Ａによって水密性が保持されているので、開封前の輸送時等に、調味液Ａ等の充填された内容物が係合突起８Ｂ、８Ｃに接触することが防止される。
【００３１】
また、背面部３に折返し部１０が設けられているので、食材Ｆを投入した際には折返し部１０が展開して展開することによって包装袋１の内部容積が増加し、蒸らし空間Ｓが確保される。従って、包装袋１の内部でムラのない加熱が行われ、良好に加熱調理を行うことができる。
【００３２】
さらに、折返し部１０が第２端部５側に突出するように設けられているので、第１端部４側に折り線がない。したがって、食材投入部６や蒸気抜き部７を含む包装袋１の第１端部４側が良好に立ち上がり、調味液Ａ等の内容物が加熱時に吹きこぼれるのを防ぐことができる。
【００３３】
以上、本発明の一実施形態について説明してきたが、本発明の技術範囲は上記実施形態に限定されるものではなく、本発明の趣旨を逸脱しない範囲において種々の変更を加えることが可能である。
【００３４】
例えば、上述の実施形態においては、ジッパー部材８のベース部８Ａによって開封前のジッパー部９の水密性が保持されている例を説明したが、食材投入部６の水密性を確保するための構造は、これには限定されない。例えば、特開平７−１１２７４６号公報に記載されているような、中間層樹脂切片と外層樹脂切片とからなるシール材を用いて、ジッパー部９の第２端部５側に水密性を有するシールを形成することによって、食材投入部６の水密性を確保してもよい。その他、本体フィルムに適用可能なものであれば、各種の公知の易開封性の水密構造を採用することができる。さらに、充填される内容物が固形物である等の場合は、ジッパー部に水密構造を設けなくてもよい。
【００３５】
また、上記の実施形態においては、前面部に食材投入部が設けられている例を説明したが、包装袋の内部と蒸気抜き部との連通がジッパー部によって妨げられない、すなわち、包装袋の内部に発生した水蒸気が蒸気抜き部に移動可能な態様であれば、食材投入部は背面部側に設けられてもよい。この場合は、食材投入部を第１端部寄りに設けたほうが、ユーザが取り扱いやすくなり、好ましい。
【図面の簡単な説明】
【００３６】
【図１】本発明の第１実施形態の包装袋を示す斜視図である。
【図２】図１のＡ−Ａ線における断面図である。
【図３】同包装袋に調味液が充填された状態を示す断面図である。
【図４】同包装袋の使用時の動作を示す断面図である。
【図５】同包装袋の使用時の動作を示す断面図である。
【図６】同包装袋の使用時の動作を示す断面図である。
【符号の説明】
【００３７】
１  包装袋
２  前面部
３  背面部
４  第１端部
５  第２端部
６  食材投入部
７  蒸気抜き部
９  ジッパー部
１０  折返し部
１２  蒸気孔
【図１】
2009166853.tif 000004
【図２】
2009166853.tif 000005
【図３】
2009166853.tif 000006
【図４】
2009166853.tif 000007
【図５】
2009166853.tif 000008
【図６】
2009166853.tif 000009